(57)【要約】      （修正有）【課題】計器本体を新規に製造したり、あるいは改造したりする必要がなく、現状の計器本体のまま、貼付シールを貼付することだけで、容易に温度及び湿度の管理領域を指示認識することができる簡素な構造の温湿度計を提供する。【解決手段】計器本体１、温度目盛ＳＴ、湿度目盛ＳＨ及び移動指標Ｂからなり、温度目盛及び湿度目盛の管理領域を指示する貼付シール２を備える。貼付シールは、管理領域を指示する上限指示用及び下限指示用の一対の貼付シール２ＵＰ、２ＤＮからなる。また上限指示用及び下限指示用の一対の貼付シールは互いに異色に形成されている。【選択図】図１
0003191016.tif 000002
【実用新案登録請求の範囲】
【請求項１】
計器本体、温度目盛、湿度目盛及び移動指標からなり、上記温度目盛及び湿度目盛の管理領域を指示する貼付シールを備えてなることを特徴とする温湿度計。
【請求項２】
上記貼付シールは、上記管理領域を指示する上限指示用及び下限指示用の一対の貼付シールからなることを特徴とする請求項１記載の温湿度計。
【請求項３】
上記上限指示用及び下限指示用の一対の貼付シールは互いに異色に形成されていることを特徴とする請求項２記載の温湿度計。
【考案の詳細な説明】
【技術分野】
【０００１】
本考案は、温度及び湿度の二種類の測定に使用される温湿度計に関するものである。
【背景技術】
【０００２】
従来、この種の温湿度計として、例えば、計器本体、温度目盛及び移動指標として回転する指針から構成された温度計及び湿度目盛及び移動指標としての回転する指針から構成された湿度計を備えてなる温湿度計、あるいは、計器本体、温度目盛及び移動指標として液柱の液面から構成された温度計及び計器本体、湿度目盛及び移動指標としての回転する指針から構成された湿度計からなり、温度計及び湿度計を並設して二種類の測定が可能な温湿度計が知られている。
【０００３】
そして、これら温湿度計において、上記温度目盛及び湿度目盛の管理領域を指示する目安指針を計器本体に対して移動自在に取り付けて構成した構造のものが知られている。
【０００４】
この温度及び湿度の管理領域としては、例えば、住宅や事務所の室内環境や、風邪予防、花粉症、ダニ、カビ、食中毒予防、植物栽培の温室の環境等において存在している。
【先行技術文献】
【特許文献】
【０００５】
【特許文献１】実用新案登録第３１２８１３０号
【考案の概要】
【考案が解決しようとする課題】
【０００６】
しかしながら上記従来構造の場合、上記計器本体に目安指針を移動自在に組み込むことになり、目安指針を移動自在に組み込むには、計器本体を新規に製造したり、或いは改造したりする必要があり、ここに、温度及び湿度の二種類の測定を行う場合、目安指針は上限及び下限の計四個の目安指針が必要となって計器自体の構造が複雑化し易く、製作コストの低減を図ることができないし、既存の温度計、湿度計あるいは温湿度計などに適用することができないという不都合を有している。
【課題を解決するための手段】
【０００７】
本考案はこれらの不都合を解決することを目的とするもので、本考案のうちで、請求項１記載の考案は、計器本体、温度目盛、湿度目盛及び移動指標からなり、上記温度目盛及び湿度目盛の管理領域を指示する貼付シールを備えてなることを特徴とする温湿度計にある。
【０００８】
又、請求項２記載の考案は、上記貼付シールは、上記管理領域を指示する上限指示用及び下限指示用の一対の貼付シールからなることを特徴とするものであり、又、請求項３記載の考案は、上記上限指示用及び下限指示用の一対の貼付シールは互いに異色に形成されていることを特徴とするものである。
【考案の効果】
【０００９】
本考案は上述の如く、請求項１記載の考案にあっては、温度目盛及び湿度目盛の管理領域を貼付シールの貼付により指示することができ、温度目盛及び湿度目盛の管理領域を容易に視認することにより温度管理及び湿度管理を容易に行うことができ、計器本体を新規に製造したり、あるいは改造したりする必要がなく、現状の計器本体のまま、貼付シールを貼付することだけで、容易に温度及び湿度の管理領域を指示認識することができると共に簡素な構造とすることができ、製作コストの低減を図ることができる。
【００１０】
又、請求項２記載の考案にあっては、上記貼付シールは、上記管理領域を指示する上限指示用及び下限指示用の一対の貼付シールからなるので、例えば、温度及び湿度の上限値及び下限値の変更や管理領域の変更に対する融通性を高めることができ、それだけ、使用用途の拡大を図ることができ、又、請求項３記載の考案にあっては、上記上限指示用及び下限指示用の一対の貼付シールは互いに異色に形成されているから、管理領域を容易に認識することができる。
【図面の簡単な説明】
【００１１】
【図１】本考案の実施の第一形態例の全体分離斜視図である。
【図２】本考案の実施の第一形態例の全体分離正面図である。
【図３】本考案の実施の第一形態例の全体正面図である。
【図４】本考案の実施の第一形態例の全体側断面図である。
【図５】本考案の実施の第一形態例の全体正面図である。
【図６】本考案の実施の第二形態例の全体正面図である。
【図７】本考案の実施の第二形態例の全体側断面図である。
【考案を実施するための形態】
【００１２】
図１乃至図７は本考案の実施の形態例を示し、図１乃至図５は第一形態例、図６、図７は第二形態例である。
【００１３】
図１乃至図５の第一形態例において、この場合、温湿度計に適用され、１は計器本体であって、合成樹脂製の丸形のケース１ａの前面に文字板１ｂが取り付けられ、文字板１ｂの前方位置に保護板を兼ねる透明板１ｃが取り付けられ、文字板１ｂの表面には温度目盛ＳＴ及び湿度目盛ＳＨがそれぞれ上下位置に印刷形成され、計器本体１の中心部に移動指標Ｂとしての温度測定用の回転する指針ＢＴと湿度測定用の回転する指針ＢＨが配設され、図４の如く、計器本体１の内部にはバイメタル構造や半導体構造の温度検出機構Ｔ及び半導体構造の湿度検出機構Ｈが設けられ、温度検出機構Ｔ及び湿度検出機構Ｈにより移動指標Ｂとしての指針ＢＴ及び指針ＢＨがそれぞれ温度目盛ＳＴ及び湿度目盛ＳＨを指示し、温度及び湿度を視認することになる。
【００１４】
２は貼付シールであって、この場合、図１、図２の如く、台紙Ｄに剥離可能に貼付され、台紙Ｄから剥離して上記透明板１ｃに貼付可能に形成され、この場合、貼付シール２は矢印形状の上限指示用の貼付シール２ＵＰ及び下限指示用の貼付シール２ＤＮの一対の貼付シール２と、滴形状の上限指示用の貼付シール２ＵＰ及び下限指示用の貼付シール２ＤＮの一対の貼付シール２の、計八個の貼付シール２を備えている。
【００１５】
又、この場合、上記上限指示用の貼付シール２ＵＰ及び下限指示用の貼付シール２ＤＮの一対の貼付シール２は互いに異色、この場合、上限指示用の貼付シール２ＵＰは赤色系統、下限指示用の貼付シール２ＤＮは青色系統に形成されている。
【００１６】
しかして、上記管理領域Ｒとして、例えば、図３の如く、温度が１５℃〜２８℃、湿度が４０％〜６５％の場合、上限指示用の貼付シール２ＵＰを透明板１ｃ上の温度２８℃を指示する位置に貼付すると共に下限指示用の貼付シール２ＤＮを温度１５℃を指示する位置に貼付し、かつ、上限指示用の貼付シール２ＵＰを透明板１ｃ上の湿度６５％を指示する位置に貼付すると共に下限指示用の貼付シール２ＤＮを湿度４０％を指示する位置に貼付している。
【００１７】
又、図５においては、上記矢印形状の上限指示用の貼付シール２ＵＰ及び下限指示用の貼付シール２ＤＮの一対の貼付シール２に代えて、上記滴形状の上限指示用の貼付シール２ＵＰ及び下限指示用の貼付シール２ＤＮの一対の貼付シール２を上記形態例と同じ管理領域Ｒとして貼付した場合のものである。
【００１８】
この実施の第一形態例は上記構成であるから、図３の如く、温度目盛ＳＴ及び湿度目盛ＳＨの管理領域Ｒを温度１５℃〜２８℃、湿度４０％〜６５％とした場合、貼付シール２としての上限指示用の貼付シール２ＵＰを透明板１ｃ上の温度２８℃を指示する位置に貼付すると共に下限指示用の貼付シール２ＤＮを温度１５℃を指示する位置に貼付し、一方、上限指示用の貼付シール２ＵＰを透明板１ｃ上の湿度６５％を指示する位置に貼付すると共に下限指示用の貼付シール２ＤＮを湿度４０％を指示する位置に貼付することになり、移動指標Ｂとしての温度測定用の回転する指針ＢＴ及び湿度測定用の回転する指針ＢＨが温度目盛ＳＴ及び湿度目盛ＳＨを指示し、これにより、温度及び湿度の管理領域Ｒを容易に視認することにより温度管理及び湿度管理を容易に行うことができ、管理領域Ｒを貼付シール２の貼付により指示することができ、計器本体１を新規に製造したり、あるいは改造したりする必要がなく、現状の計器本体１のまま、貼付シール２を貼付することだけで、容易に管理領域Ｒを指示することができると共に簡素な構造とすることができ、製作コストの低減を図ることができる。
【００１９】
この場合、上記貼付シール２は、上記管理領域Ｒを指示する上限指示用及び下限指示用の一対の貼付シール２ＵＰ・２ＤＮからなるので、温度及び湿度の上限値及び下限値の変更や管理領域Ｒの変更に対する融通性を高めることができ、それだけ、使用用途の拡大を図ることができ、又、この場合、上記上限指示用及び下限指示用の一対の貼付シール２ＵＰ・２ＤＮは互いに異色、この場合、赤色系統及び青色系統に形成されているから、管理領域Ｒを容易に認識することができ、又、この場合、上記移動指標Ｂは、回転する指針ＢＴ・ＢＨであるから、回転する指針ＢＴ・ＢＨと温度目盛ＳＴ及び湿度目盛ＳＨとの視認により管理領域Ｒを容易に認識することができ、温度管理及び湿度管理を容易に行うことができる。
【００２０】
図６、図７の第二形態例は別例構造を示し、この場合、第一形態例と同様、温湿度計に適用され、１０は計器本体であって、合成樹脂製の略長方形状のケース１０ａの前面に文字板１０ｂが形成され、文字板１０ｂの表面の上部には温度目盛ＳＴが印刷形成され、文字板１０ｂの表面の下部には円形状の文字板１０ｃが取り付けられ、文字板１０ｃの前方位置に保護板を兼ねる透明板１０ｄが取り付けられ、文字板１０ｃの表面には湿度目盛ＳＨが印刷形成され、図７の如く、計器本体１０の上部裏面に液柱管１０ｅが取り付けられ、液柱管１０ｅが温度検出機構Ｔとされ、この液柱管１０ｅの液柱Ｃの液面ＢＬが移動指標Ｂとされ、計器本体１０の下部に湿度測定用の回転する指針ＢＨが配設され、計器本体１０の下部には半導体構造の湿度検出機構Ｈが設けられ、移動指標Ｂとしての液柱Ｃの液面ＢＬ及び指針ＢＨがそれぞれ温度目盛ＳＴ及び湿度目盛ＳＨを指示し、温度及び湿度を視認するようにしている。
【００２１】
この実施の第二形態例は上記構成であるから、図６の如く、温度目盛ＳＴ及び湿度目盛ＳＨの管理領域Ｒを温度１５℃〜２８℃、湿度４０％〜６５％とした場合、貼付シール２としての上限指示用の貼付シール２ＵＰを文字板１０ｂ上の温度２８℃を指示する位置に貼付すると共に下限指示用の貼付シール２ＤＮを温度１５℃を指示する位置に貼付し、一方、上限指示用の貼付シール２ＵＰを透明板１０ｄ上の湿度６５％を指示する位置に貼付すると共に下限指示用の貼付シール２ＤＮを湿度４０％を指示する位置に貼付することになり、移動指標Ｂとしての温度測定用の液柱Ｃの液面ＢＬ及び湿度測定用の回転する指針ＢＨが温度目盛ＳＴ及び湿度目盛ＳＨを指示し、これにより、温度及び湿度の管理領域Ｒを容易に視認することにより温度管理及び湿度管理を容易に行うことができ、管理領域Ｒを貼付シール２の貼付により指示することができ、計器本体１０を新規に製造したり、あるいは改造したりする必要がなく、現状の計器本体１０のまま、貼付シール２を貼付することだけで、容易に管理領域Ｒを指示することができると共に簡素な構造とすることができ、製作コストの低減を図ることができる。
【００２２】
この場合、温度測定にあっては、移動指標Ｂとしての液柱Ｃの液面ＢＬが温度目盛ＳＴを指示し、湿度測定にあっては、回転する指針ＢＨが湿度目盛ＳＨを指示し、移動指標Ｂとしての液柱Ｃの液面ＢＬ及び回転する指針ＢＨと温度目盛ＳＴ及び湿度目盛ＳＨとの視認により管理領域Ｒを容易に認識することができ、温度及び湿度の管理を容易に行うことができる。
【００２３】
尚、本考案は上記実施の形態例に限られるものではなく、計器本体１・１０の構造、温度目盛ＳＴ及び湿度目盛ＳＨの形態及び移動指標Ｂの形状や構造、貼付シール２の形態等は適宜変更して設計される。例えば、上記実施の形態例においては、貼付シール２として、上限指示用及び下限指示用の一対の貼付シール２ＵＰ・２ＤＮから構成しているが、これに代えて、一枚の貼付シール２に上限及び下限を指示可能な印刷を施した貼付シール２を容易形成し、この一枚の貼付シール２により管理領域Ｒを指示するようにすることも可能である。
【００２４】
以上、所期の目的を充分達成することができる。
【符号の説明】
【００２５】
ＳＴ  温度目盛
ＳＨ  湿度目盛
Ｂ    移動指標
Ｒ    管理領域
１    計器本体
２    貼付シール
２ＵＰ    上限指示用の貼付シール
２ＤＮ    下限指示用の貼付シール
１０    計器本体
【図１】
0003191016.tif 000003
【図２】
0003191016.tif 000004
【図３】
0003191016.tif 000005
【図４】
0003191016.tif 000006
【図５】
0003191016.tif 000007
【図６】
0003191016.tif 000008
【図７】
0003191016.tif 000009